(57)【特許請求の範囲】
【請求項１】
少なくとも１のトラックに対して付与されるトラック番号情報と、選択的な記録情報として複数のトラックを１つのグループとして管理するためのグループ管理情報とを含む管理情報が記録された情報記録媒体から前記管理情報を読み出す手段と、前記読み出された管理情報を表示する表示手段を備えた情報表示および情報再生装置において、
前記情報記録媒体に前記グループ管理情報が記録されているか否かを判別し、前記グループ管理情報が記録されている場合と記録されていない場合とで、表示形態を異ならしめて前記表示手段に表示させる表示制御手段を備え、
前記表示制御手段は、前記情報記録媒体に前記グループ管理情報が記録されていると判別した場合には、前記情報記録媒体に記録されているグループ情報と共に、夫々のグループ情報に対応するグループの再生順序を示す番号をリスト化して前記表示手段に表示させることを特徴とする情報表示および情報再生装置。
【請求項２】
前記表示制御手段は、前記情報記録媒体に前記グループ管理情報が記録されていないと判別した場合には、前記情報記録媒体に記録されているトラック番号情報を直ちに前記表示手段に表示させることを特徴とする請求項１に記載の情報表示および情報再生装置。
【請求項３】
少なくとも１のトラックに対して付与されるトラック番号情報と、選択的な記録情報として複数のトラックを１つのグループとして管理するためのグループ管理情報とを含む管理情報が記録された情報記録媒体から前記管理情報を読み出す手段を備えた情報表示および情報再生装置において、
情報表示および情報再生装置に所定の操作指令を与える操作手段と、
前記情報記録媒体に前記グループ管理情報が記録されているか否かを判別し、前記グループ管理情報が記録されている場合と記録されていない場合とで、前記操作手段の操作機能形態を異ならせる機能制御手段と、を備えることを特徴とする情報表示および情報再生装置。
【発明の詳細な説明】
【０００１】
【発明の属する技術分野】
本発明は、情報記録媒体に記録された管理情報を表示することが可能な情報表示および情報再生装置に関する。
【０００２】
【従来の技術】
音楽情報や映像情報が記録される情報記録媒体としては、カセットテープ、ＤＡＴ（ディジタルオーディオテープ）８ミリテープなどに代表される線状情報記録媒体や、ＬＤ（レーザディスク）、ＣＤ（コンパクトディスク）、ＭＤ（ミニディスク）、ＤＶＤ（ディジタルバーサタイルディスク）などに代表されるディスク状情報記録媒体が知られている。
【０００３】
近年、ディスク状情報記録媒体においても、情報の書込みおよび書換えが可能となり、記録されている情報へのアクセスが早いという利点と相まって、目覚しい普及を遂げている。
【０００４】
このディスク状情報記録媒体に楽曲（以下、単に「曲」と記載する）を記録する場合、例えば、１つの曲を「トラック」という単位とし、このトラックにトラック番号情報を付与して管理することができる。このようなトラック番号情報は、ディスク名、曲名、曲数、演奏時間、ディスク上での曲の開始位置や終了位置（位置を時間情報で管理する場合には、開始時間や終了時間）などの記録データを管理する情報とともに、ディスクの最内周部に記録されたＴＯＣ（Table of content）と呼ばれる管理情報に含まれている。このような管理情報は、例えば、ディスクの記録再生装置の表示器に表示される。そして、ユーザは、記録された曲を再生する際、表示器に表示されたトラック番号情報や、曲名を指定して記録した曲を選択することができる。
【０００５】
ところで、最近、ディスク状情報記録媒体への情報記録密度の向上や、新しい情報圧縮方式の確立により、１枚のディスク状情報記録媒体に記録できる曲の数を著しく増加できるようになってきた。例えば、ＭＤでは、従来よりＡＴＲＡＣ（Adaptive TRansform Acoustic Coding）と呼ばれる情報圧縮方式が採用されているが、最近、従来のＡＴＲＡＣの２倍、４倍の圧縮効率を持つＡＴＲＡＣ３と呼ばれる情報圧縮方式により情報記録を行うＭＤＬＰ規格が制定された。このＡＴＲＡＣ３によれば、標準の録音時間８０分のＭＤでは、４倍モードで最長３２０分の記録が可能となる。このような新しい情報圧縮方式によれば、例えば、１曲の時間が約５分であるとしても、６０曲程度をディスクに記録できるようになる。
【０００６】
【発明が解決しようとする課題】
ところが、このように非常に多くの曲を記録できるようになると、ユーザが記録された曲を再生する際、表示器に表示された曲を選択するのに非常に手間がかかるようになる。そこで、ユーザが、１ないし複数の曲を集めてグループ化し、グループ毎に曲を管理する（以下「グループ管理」という）ことができる方法が提案された。このようなグループ管理では、同じグループに属する曲には、同一のグループ名などの情報が付与され、そのグループ名などの情報は、トラック番号情報などと共にディスクの最内周部にグループ管理情報として記録される。そして、例えば、ディスクをディスクの記録再生装置に挿入した場合に、グループ管理情報がディスクから読み出されて、表示器のグループ選択画面上に表示される。そのグループ選択画面上で、ユーザが、所望のグループを指定すると、次に、そのグループに属している曲を選択する画面などが表示される。従って、ユーザは、まず、所望のグループを指定し、その後に、そのグループに属している曲を選択することができるので、効率良く曲を選択することができる。
【０００７】
しかしながら、記録する曲が少ない場合は、敢えてグループ管理を行う必要がなく、グループ管理をするか否かは、ユーザによる選択で決められるものである。従って、グループ管理情報が記録されたディスクと、そうでないディスクが存在することとなり、グループ管理されているディスクか否かを迅速に判断する必要性が生じると考えられる。また、例えば、ディスクの記録再生装置に、グループ管理情報が記録されたディスクが挿入された場合に、グループ管理情報が表示されていないグループ選択画面が表示されることが考えられる。このような場合、ユーザは、別の画面にいちいち切り換えるという無駄な操作を行わなければならない。
【０００８】
本発明は、以上の点に鑑みてなされたものであり、その課題は、情報記録媒体に記録された管理情報の違いを迅速にユーザに知覚させることができ、かつ、ユーザの操作負荷を低減させることができる情報表示および情報再生装置を提供することを目的とする。
【０００９】
【課題を解決するための手段】
上記課題を解決するため、請求項１に記載の発明は、少なくとも１のトラックに対して付与されるトラック番号情報と、選択的な記録情報として複数のトラックを１つのグループとして管理するためのグループ管理情報とを含む管理情報が記録された情報記録媒体から前記管理情報を読み出す手段と、前記読み出された管理情報を表示する表示手段を備えた情報表示および情報再生装置において、前記情報記録媒体に前記グループ管理情報が記録されているか否かを判別し、前記グループ管理情報が記録されている場合と記録されていない場合とで、表示形態を異ならしめて前記表示手段に表示させる表示制御手段を備え、前記表示制御手段は、前記情報記録媒体に前記グループ管理情報が記録されていると判別した場合には、前記情報記録媒体に記録されているグループ情報と共に、夫々のグループ情報に対応するグループの再生順序を示す番号をリスト化して前記表示手段に表示させるように構成する。
【００１０】
請求項１に記載の発明によれば、少なくとも１のトラックに対して付与されるトラック番号情報と、選択的な記録情報として１ないし複数のトラックを１つのグループとして管理するためのグループ管理情報とを含む管理情報が記録された情報記録媒体から管理情報が読み出される。そして、その管理情報にグループ管理情報があるか否かが判別され、グループ管理情報が記録されている場合と記録されていない場合とで、表示形態を異ならしめて表示手段に表示させる。従って、ユーザに対して、記録された管理情報の違い、即ちグループ管理情報が情報記録媒体に記録されているか否かを迅速に知覚させることができる。また、グループ管理情報が記録されていない情報記録媒体であっても、それに応じた表示形態で管理情報が表示されるので、ユーザは無駄な操作を行う必要がなく、従って、ユーザの操作負荷を低減させることができる。
また、情報記録媒体にグループ管理情報が記録されていると判別した場合には、前記情報記録媒体に記録されているグループ情報（例えば、グループ名情報）と共に、夫々のグループ情報に対応するグループの再生順序を示す番号をリスト化して表示させる。従って、グループ管理情報が記録されている場合には、リスト化されたグループ情報及びその再生順序を示す番号が表示されるので、ユーザは、迅速にグループ選択を行うことができる。
【００１３】
請求項２記載の発明は、請求項１に記載の情報表示および情報再生装置において、前記表示制御手段は、前記情報記録媒体に前記グループ管理情報が記録されていないと判別した場合には、前記情報記録媒体に記録されているトラック番号情報を直ちに前記表示手段に表示させるように構成する。
【００１４】
請求項２記載の発明によれば、グループ管理情報が記録されていない場合には、トラック番号情報が直ちに表示手段に表示されるので、ユーザは無駄な操作を行う必要がなく、従って、ユーザの操作負荷を低減させることができる。
【００１５】
請求項３に記載の発明は、少なくとも１のトラックに対して付与されるトラック番号情報と、選択的な記録情報として複数のトラックを１つのグループとして管理するためのグループ管理情報とを含む管理情報が記録された情報記録媒体から前記管理情報を読み出す手段を備えた情報表示および情報再生装置において、情報表示および情報再生装置に所定の操作指令を与える操作手段と、前記情報記録媒体に前記グループ管理情報が記録されているか否かを判別し、前記グループ管理情報が記録されている場合と記録されていない場合とで、前記操作手段の操作機能形態を異ならせる機能制御手段と、を備えるように構成する。
【００１６】
請求項３に記載の発明によれば、少なくとも１のトラックに対して付与されるトラック番号情報と、選択的な記録情報として複数のトラックを１つのグループとして管理するためのグループ管理情報とを含む管理情報が記録された情報記録媒体から管理情報が読み出される。そして、その管理情報にグループ管理情報があるか否かが判別され、グループ管理情報が記録されている場合と記録されていない場合とで、操作手段の操作機能形態を異ならせる。従って、グループ管理情報が記録されている場合とされていない場合とで、自動的に操作手段の操作機能形態が切り換えられるので、ユーザは無駄な操作を行う必要がなく、従って、ユーザの操作負荷を低減させることができる。
【００１７】
【発明の実施の形態】
以下、本発明の好適な実施の形態を添付図面に基づいて説明する。以下の説明は、光磁気ディスク記録再生装置に対して本発明の情報表示および情報再生装置を適用した場合の実施形態である。
【００１８】
図１に本発明の実施形態にかかる光磁気ディスク記録再生装置１００の概略構成例を示す。図１に示すように、この光磁気ディスク記録再生装置１００は、情報記録再生部５０と、システムコントローラ５１と、入力部５２と、表示部５３と、を含んで構成され、これら各部は図示のように接続されている。
【００１９】
情報記録再生部５０は、光磁気ディスク２０を回転駆動するための図示しないスピンドルモータと、図示しないレーザービームを出射するレーザーダイオードおよびこのレーザーダイオードからの出射光および光磁気ディスク２０からの反射光を目的に応じて分光する各種スプリッタおよび光磁気ディスク２０からの反射光や各種スプリッタにより分光された光を電気信号に変換するディテクタおよびレーザービームの光磁気ディスク２０に対する焦点を合わせたり、情報トラック上に位置付けるためのアクチュエータとを備えた光ピックアップ２と、光ピックアップ２からの各種電気信号から目的に応じた様々な信号を生成するＲＦアンプ７と、このＲＦアンプ７で生成される光磁気ディスク２０に予め記録されたグループ（溝）の揺らぎを抽出したウォブル信号から光磁気ディスク２０のアドレス情報を検出するＡＤＩＰデコーダ６と、光磁気ディスク２０に記録した情報を再生する際にはＲＦアンプ７で生成される光磁気ディスク２０に記録されている信号を抽出したＲＦ（Radio Frequency）信号のデータに対してＥＦＭ（Eight to Fourteen Modulation）復調を行い、また、光磁気ディスク２０に情報を記録する際には、後述するＤＲＡＭ１２からのデータにＥＦＭ変調を施す機能を有するＥＦＭエンコーダデコーダ９と、光磁気ディスク２０に情報を記録する際に、レーザービームによりキュリー温度以上に熱せられた光磁気ディスク２０の磁性膜に対して磁界を印加する磁気ヘッド３と、この磁気ヘッド３に対してＥＦＭエンコーダデコーダ９によりＥＦＭ変調が施されたデータに応じて磁界の向きを決定し駆動するためのヘッド駆動回路５と、光磁気ディスク２０から情報を再生する際に、ＥＦＭエンコーダデコーダ９によりＥＦＭ復調されたデータを備え、また、光磁気ディスク２０に情報を記録する際に、後述するデータ圧縮エンコーダデコーダ１３により圧縮されたデータを蓄えておくＤＲＡＭ（Dynamic Random Access Memory）１２と、このＤＲＡＭ１２に対してデータの入出力を制御するためのＤＲＡＭコントロール回路１１と、光磁気ディスク２０から情報を再生する際に、ＤＲＡＭ１２からのデータを伸長して、この伸長した信号を出力部１５から出力し、また、光磁気ディスク２０に情報を記録する際に、入力部１４からの信号を圧縮しＤＲＡＭ１２に出力するデータ圧縮エンコーダデコーダ１３と、スピンドルモータや光ピックアップ２を半径方向に駆動する図示しないキャリッジモータや光ピックアップ２のアクチュエータを制御するためのサーボコントロール回路８と、を備えている。なお、アナログ信号をデジタル信号に変換するためのＡ／Ｄコンバータや、デジタル信号をアナログ信号に変換するためのＤ／Ａコンバータの図示は省略している。
【００２０】
システムコントローラ５１は、ＣＰＵ５１ａ、ＲＯＭ５１ｂ、ＲＡＭ５１ｃ、ＶＲＡＭ５１ｄを備え、情報記録再生部５０における各構成部分を制御し、光磁気ディスク２０への情報の記録、読み出し、再生を行う。また、システムコントローラ５１のＣＰＵ５１ａは、本発明の特徴部分である表示制御手段、機能制御手段としての機能を有し、ＴＯＣと呼ばれる管理情報に基づいて、表示部５３の表示形態を制御するとともに、入力部５２に設けられた後述する操作ボタンの操作機能形態を制御する。また、このようなＴＯＣは、光磁気ディスク最内周部に記録されている。ＲＯＭ５１ｂには、表示制御、機能制御処理プログラムなどが格納され、ＲＡＭ５１ｃは、主に、作業領域として用いられる。また、ＶＲＡＭ５１ｄには、表示部５３される表示画面データが記憶される。入力部５２は、システムコントローラ１０に、ユーザからの各種操作指令を与える操作手段としての機能を有する。表示部５３は、本発明における表示手段としての機能を有し、主に、ＴＯＣ内の情報を表示する。
【００２１】
次に、ＴＯＣに基づいて行なわれる表示部５３の表示形態および操作機能形態の制御について、詳しく説明する。始めに、ＴＯＣの論理的構造を図２を参照して説明する。本実施形態にかかるＴＯＣは、ディスク名、１のトラックに対して付与されるトラック番号情報、曲名、曲数、演奏時間などの管理情報が含まれ、グループ名情報などを含んだグループ管理情報から構成されている。このグループ管理情報とは、１ないし複数のトラックを１つのグループとして管理するために生成される情報である。但し、グループ管理情報は選択的な記録情報であり、ＴＯＣに含まれている場合といない場合とがある。このグループ管理情報がＴＯＣに含まれている場合には、グループ管理情報により、グループ（グループ名情報）とトラック番号情報とが関係付けられる。なお、あるグループに属するトラックに対してグループ名情報を付与する場合は、トラックの１つ１つに対してそのトラックがどのグループに属するかの情報を付与する方法と、グループに対してそのグループに属するトラックがどのトラックであるかを付与する方法がある。前者の方法の場合、グループ管理情報は、《ＴＮＯ１／ＧｒｏｕｐＡ，ＴＮＯ２／ＧｒｏｕｐＢ，ＴＮＯ３／ＧｒｏｕｐＡ，ＴＮＯ４／ＧｒｏｕｐＢ，ＴＮＯ５／ＧｒｏｕｐＣ》という形態とされ、後者の方法の場合、グループ管理情報は、《ＧｒｏｕｐＡ／ＴＮＯ１＆ＴＮＯ２＆ＴＮＯ３，ＧｒｏｕｐＢ／ＴＮＯ４＆ＴＮＯ５》という形態とされる。なお、「ＴＯＮ１」や「ＧｒｏｕｐＡ」の表す意味は、この後詳述する。また、トラック番号情報、曲名、グループ名情報は、ユーザがトラック（曲）に対応付けて、入力部５２から任意に付与することができる。
【００２２】
図２（Ａ）は、グループ管理情報が含まれていない場合のＴＯＣにおける、ディスク名と、トラック番号情報と、トラック（曲）との関係づけ（論理的構造）を示す図である。図２（Ａ）中、「Ｄｉｓｃ」はディスク名を示す。「ＴＯＮ１」は、「１」という番号のトラック番号情報であることを示す（ＴＯＮ２、３・・も、それぞれの番号のトラック番号情報であることを示す）。「ａ」は、「ａ」という名称のトラック（ここでは、「ａ」という名称の曲）であることを示す（ｂ、ｃ、ｄ・・・についても、それぞれの名称の曲であることを示す）。プログラム再生やランダム再生などの特殊再生が指定されていない場合には、トラック番号情報の順序（小さい番号から大きい番号に向けて）で曲が再生されることとなる（図２（Ｂ）の場合も同様）。
【００２３】
一方、図２（Ｂ）は、グループ管理情報が含まれている場合のＴＯＣにおける、ディスク名と、グループ名情報と、トラック番号情報と、トラック（曲）との関係づけ（論理的構造）を示す図である。図２（Ｂ）中、「ＧｒｏｕｐＡ」は、「Ａ」という名称で管理されるグループを示す（ＧｒｏｕｐＢ、Ｃ、Ｄ・・・も、それぞれの名称で管理されるグループを示す）。図２（Ｂ）の例では、１つのＤｉｓｃには、ＧｒｏｕｐＡとＧｒｏｕｐＢが登録されており、さらに、ＧｒｏｕｐＡには、ＴＯＮ１が付与された曲「ａ」とＴＯＮ２が付与された曲「ｂ」とＴＯＮ３が付与された曲「ｃ」とが属し、ＧｒｏｕｐＢには、ＴＯＮ４が付与された曲「ｄ」とＴＯＮ５が付与された曲「ｅ」とが属している。このように、グループ管理情報が含まれている場合においては、記録された曲がグループ管理されている。
【００２４】
次に、表示部５３の表示形態および操作機能形態を制御する際のＣＰＵ５１ａによる表示制御および機能制御処理について、図３および図４を参照して説明する。図３は、ＣＰＵ５１ａの表示制御および機能制御処理ルーチンを示すフローチャートである。
【００２５】
図３に示す表示制御および機能制御処理において、まず、光磁気ディスク２０が、光磁気ディスク記録再生装置１００に挿入されると、ＣＰＵ５１ａは、ＴＯＣを光磁気ディスク最内周部から読み出し、ＲＡＭ５１ａに記憶する（ステップＳ１）。次に、ＣＰＵ５１ａは、読み出されたＴＯＣ内にグループ管理情報があるか否かを判別する（ステップＳ２）。グループ管理情報がないと判別した場合には、ＣＰＵ５１ａは、ＶＲＡＭ５１ｄから表示画面データを読み出し、表示部５３に表示するとともに、ＲＡＭ５１ａからトラック番号情報を読み出しその表示画面上に表示する（ステップＳ３）。そして、後述する入力部５２の操作ボタン７０に対して、グループ管理情報無し用の操作機能を設定する（ステップＳ５）。一方、グループ管理情報があると判別した場合には、ＣＰＵ５１ａは、ＶＲＡＭ５１ｄから表示画面データを読み出し、表示部５３に表示するとともに、ＲＡＭ５１ａからグループ管理情報を読み出しリスト化してその表示画面上に表示する（ステップＳ４）。そして、後述する入力部５２の操作ボタン７０に対して、グループ管理情報無し用の操作機能を設定する（ステップＳ６）。このように、ＣＰＵ５１ａは、グループ管理情報が記録されている場合と記録されていない場合とで、表示形態を異ならしめて表示部５３に表示することとなる。また、ＣＰＵ５１ａは、グループ管理情報が記録されている場合と記録されていない場合とで、入力部５２の各操作ボタン７０に設定されている機能も異ならしめている。
【００２６】
こうして表示部５３に表示された表示画面例を図４に示す。また、表示部５３の下部には操作ボタン７０を表記している。図４（Ａ）は、グループ管理情報が記録されていない場合の表示画面５４を示すものであり、符号５５部に示す欄には、ＴＮＯ．１（１曲目）のトラック番号情報とともに、それに対応するその曲名（ＡＡＡＡＡ）が直ちに表示されている。また、図４（Ａ）の表示画面５４の符号５６部に示す欄には、再生中の曲のトラック番号情報と再生時間が表示されることとなる。この場合の曲（トラック）の再生は、入力部５２から再生開始指令を入力することにより、ＴＮＯ．１から行われる。また、図４（Ａ）の表示画面５４には、ランダムキー５７、リピートキー５８、スキャンキー５７が、表示部５３の下部近傍に配置されている入力部５２の操作ボタン７０に位置付けられるようにして表示されており、かかるキーに対応する操作ボタン７０を押下すると、曲のランダム再生、曲の繰り返し再生等が行われる。
【００２７】
一方、図４（Ｂ）は、グループ管理情報が記録されている場合の表示画面５４を示すものであり、符号６０部には、グループ管理情報のリストが表示されている。図４（Ｂ）の表示画面５４では、リスト６０内に５つのグループ名情報（「ＧｒｏｕｐＡ」、「ＧｒｏｕｐＢ」、「ＮＯ  ＮＡＭＥ」、「ＧｒｏｕｐＣ」、「ＧｒｏｕｐＤ」）が表示され、それぞれのグループ名情報の左隣には、再生順序を示す番号が表示されている。
【００２８】
ここで、符号６０ａ部に示す「ＮＯ  ＮＡＭＥ」は、グループ管理されているが、ユーザによりグループ名情報が与えられていないものである。また、符号６０ｂ部には、何も表示されていないが、これは、グループ管理されていないトラック（曲）が存在することを意味する。また、図４（Ｂ）の表示画面５４の下部には、ファンクションキー６１が、入力部５２の操作ボタン７０に位置付けられるようにして表示されており、このファンクションキー６１の番号と、リスト６０内の再生順序を示す番号とは対応している。そして、ファンクションキー６１の番号を入力部５２の操作ボタン７０を押下して選択することにより、最初に再生するグループを指定することができる。ファンクションキー６２は、再生順序を示す番号が「７」以降で現在リストに表示されていないグループ管理情報を、リスト６０に表示させるためのキーである。
【００２９】
以上説明したように、本実施形態によれば、グループ管理情報の有無に応じて表示形態や操作機能を変えることにより、グループ管理情報の有無をユーザに直ちに知覚させることができる。また、グループ管理情報が記録されていない場合には、ユーザによる無駄な画面切り換えなどの操作を無くすことができるので、ユーザの操作負荷を低減させることができる。さらに、グループ管理情報が記録されている場合には、グループ管理情報が選択可能にリスト化されて表示されるので、グループの選択を迅速に行うことができる。
【００３０】
なお、上記実施形態においては、光磁気ディスク記録再生装置に対して本発明の情報表示装置を適用した場合について説明したが、ＭＤ、ＣＤ、ＤＶＤ、ＬＤなどの情報記録媒体用の記録再生装置、あるいは、これら情報記録媒体を複数使用可能な一体型のオーディオ装置、車載用のオーディオ装置などに対して適用することが可能である。
【００３１】
【発明の効果】
以上説明したように、請求項１に記載の発明によれば、情報記録媒体にグループ管理情報が記録されていると判別した場合には、情報記録媒体に記録されているグループ情報（例えば、グループ名情報）と共に、夫々のグループ情報に対応するグループの再生順序を示す番号をリスト化して表示させるように構成したので、グループ管理情報が記録されている場合には、リスト化されたグループ情報及びその再生順序を示す番号が表示されるので、ユーザは、迅速にグループ選択を行うことができ、グループ管理情報が記録されていない場合には、トラック番号情報が直ちに表示手段に表示されるので、ユーザは無駄な操作を行う必要がなく、従って、ユーザの操作負荷を低減させることができる。
【００３３】
請求項２記載の発明によれば、グループ管理情報が記録されていない場合には、トラック番号情報が直ちに表示手段に表示されるように構成したので、ユーザは無駄な操作を行う必要がなく、従って、ユーザの操作負荷を低減させることができる。
【００３４】
請求項３に記載の発明によれば、グループ管理情報が記録されている場合と記録されていない場合とで、操作手段の操作機能形態を異ならせるように構成したので、ユーザは無駄な操作を行う必要がなく、従って、ユーザの操作負荷を低減させることができる。
【図面の簡単な説明】
【図１】本発明の実施形態にかかる光磁気ディスク記録再生装置の概略構成例を示す図である。
【図２】ディスク名と、グループ名情報と、トラック番号情報と、トラック（曲）との関係づけ（論理的構造）を示す図である。
【図３】表示制御および機能制御処理ルーチンを示すフローチャートである。
【図４】表示部に表示された表示画面例を示す図である。
【符号の説明】
２  光ピックアップ
３  磁気ヘッド
５  ヘッド駆動回路
６  ＡＤＩＰデコーダ
７  ＲＦアンプ
８  サーボコントロール回路
９  ＥＦＭエンコーダデコーダ
１１  ＤＲＡＭコントロール回路
１２  ＤＲＡＭ
１３  データ圧縮エンコーダデコーダ
２０  光磁気ディスク
５０  情報記録再生部
５１  システムコントローラ
５１ａ  ＣＰＵ
５１ｂ  ＲＯＭ
５１ｃ  ＲＡＭ
５１ｄ  ＶＲＡＭ
５２  入力部
５３  表示部
１００  光磁気ディスク記録再生装置
【図１】
0003872645.tif 000002
【図２】
0003872645.tif 000003
【図３】
0003872645.tif 000004
【図４】
0003872645.tif 000005